(57)【要約】【課題】  開封時に切裂部がちぎれることなく小さな引張力で開封でき且つ座屈強度に優れる外装箱を形成するための段ボールブランクシートおよびこれを用いた外装箱を提供すること。【解決手段】  天面に対応する天面部３と、底面に対応する底面部７と、これら天面部３と底面部７とに連結される側面に対応する側面部５，９とを備えている段ボールブランクシート１において、前記側面部５，９には互いに平行で且つ前記天面部３との境界線Ｌにも平行な破線状の２本のライナカット線２５が形成され、  前記各ライナカット線２５のうち、組み立てられた場合に前記天面部３に近い側に位置するライナカット線２５の個々の平行部２５ａの少なくとも一方の端部には、前記底面部７側に近接するように傾斜する傾斜部２５ｂが形成されている。【選択図】      図１
2008280047.tif 000002
【特許請求の範囲】
【請求項１】
天面に対応する天面部と、底面に対応する底面部と、これら天面部と底面部とに連結される側面に対応する側面部とを備えている段ボールブランクシートにおいて、
前記側面部には互いに平行で且つ前記天面部との境界線にも平行な破線状の２本のライナカット線が形成され、
前記各ライナカット線のうち、組み立てられた場合に前記天面部に近い側に位置するライナカット線の個々の平行部の少なくとも一方の端部には、前記底面部側に近接するように傾斜する傾斜部が形成されていることを特徴とする段ボールブランクシート。
【請求項２】
前記段ボールブランクシートは表ライナ、中芯及び裏ライナから構成され、前記ライナカット線は裏ライナにのみ形成されていることを特徴とする請求項１に記載の段ボールブランクシート。
【請求項３】
前記段ボールブランクシートは、前記表ライナ及び裏ライナの坪量が１４０ｇ／ｍ2以下であり、中芯の坪量が１２５ｇ／ｍ2以下であって、Ｂフルートであることを特徴とする請求項２に記載の段ボールブランクシート。
【請求項４】
前記側面部には前記ライナカット線に交差するように切断された切出部が形成され、前記傾斜部は各平行部の両端のうち前記切出部から遠い側の端部に形成されていることを特徴とする請求項１〜３の何れか一項に記載の段ボールブランクシート。
【請求項５】
前記側面部にはフラップが連結され、このフラップにも前記ライナカット線が形成されていることを特徴とする請求項１〜４の何れか一項に記載の段ボールブランクシート。
【請求項６】
請求項１〜５の何れか一項に記載の段ボールブランクシートを組み立てて形成したことを特徴とする外装箱。
【発明の詳細な説明】
【技術分野】
【０００１】
本発明は、段ボールブランクシートおよびこれを用いた外装箱に係り、特に、段ボールブランクシートを組み立てて外装箱を形成した状態で容易に開封できるようにする段ボールブランクシートおよびこれを用いた外装箱に関する。
【背景技術】
【０００２】
従来から、例えば、缶ビール容器などを包装する外装箱として、段ボール紙を用いたものが一般的である（特許文献１参照。）。具体的には、平板上の段ボール紙に各種折曲線を形成して段ボールブランクシートとし、折曲線に沿って段ボールブランクシートを折り曲げることで、六面体形状の外装箱を形成するものである。そして、この外装箱の周壁をなす立面板及び内フラップの裏面には、開封用の切裂帯としてカットテープが貼着され、その切出部が立面板の中央部に設けられている。この切出部は、段ボールの表裏に貫通するＨ状の全切線から形成されている。そして、このような外装箱で包装した缶ビール容器などを店頭で陳列する際には、図８に示すように、切出部からカットテープ１０８を引いて立面板及び内フラップを切断し、切断縁の下側をトレー状として、容器を露出させるようになっている。
【０００３】
また、外装箱を開封するための構造として、図９に示すようにライナカット線１２５の形状を工夫したものも開示されている（特許文献２参照）。これは、外周壁面のライナに、切目が断続するライナカット線１２５を入れて切裂帯１３１を設け、この切裂帯１３１を引き裂いて開封する段ボール箱において、前記ライナカット線１２５を、引裂方向に対し、手前の切目の終端よりも次の切目が内側に位置するジッパ形のものとしたのである。
【０００４】
更に、開封時における段ボール紙の表層剥離を防止し、見栄えよく商品を陳列できる外装箱を提供するために、外周壁面の裏ライナに二本のライナカット線又はカットテープによる切裂帯を設け、その壁面に形成した切出部から切裂帯を引いて開封する外装箱において、切裂帯に沿って、表ライナの表面側から打抜による半切ミシン目状の破止線を入れたものが開示されている（特許文献３参照。）。これにより、切出部から切裂帯を引っ張ると、表ライナが破止線の位置で切断され、段ボール紙の表層剥離が防止される。
【特許文献１】特開２００３−２４６３２０号（特に、図１参照。）
【特許文献２】特開２００３−３４１６６４号（特に、図１、図２参照。）
【特許文献３】特開２００３−３２７２３９号（特に、図１参照。）
【発明の開示】
【発明が解決しようとする課題】
【０００５】
しかしながら、上記各従来例には種々の問題点があった。先ず、特許文献１については、上記したように外装箱の内側にカットテープが貼り付けられている。これは、外装箱は地面や搬送用パレット上に順々に段積みされた状態で保管されることが多く、外装箱の開封者が切裂帯を切断する際には、切裂帯に対して斜め上方から切断する場合が多く、切断の途中で切裂帯がちぎれてしまうことが多いからである。すなわち、カットテープによって切裂帯を補強するのである。しかしながら、カットテープのコストやこれを外装箱の内面に貼り付けるためのコストが増加してしまう。
【０００６】
また、特許文献２については、切裂帯のちぎれ防止に対しては一定の効果はあるものの、外装箱が段積みされた場合の外周壁面の座屈強度については全く考慮されていない。このため、ライナカット線により外周壁面の強度が低下し、外装箱が座屈によって変形してしまう。
【０００７】
更に、特許文献３については、これは外装箱の表面の表層剥離の防止を意図したものであり、切裂帯のちぎれ防止については全く考慮されていない。加えて、段ボールブランクシートの表裏の両面に半切りのミシン目を形成しなければならないため、加工工程が増加してコスト増大の原因となる。
【０００８】
また、良質な段ボールブランクシート材料を選択することで、座屈強度に優れると同時に、開封性も良好な外装箱を実現することは可能である。しかしながら、このような良質な材料は高価な場合が多く、最終的に廃棄されてしまう外装箱に採用することは困難である。
【課題を解決するための手段】
【０００９】
本発明は、上記問題点を解消できる段ボールブランクシートを提供することを目的とし、更にこのおよびこれを用いた外装箱を提供することも目的とする。即ち、特別に良質な段ボールブランクシート材料を用いることなく、座屈強度に優れ且つ開封性も良い外装箱を実現するための段ボールブランクシートを提供するものである。
【００１０】
上記目的を達成するために、本発明は、天面に対応する天面部と、底面に対応する底面部と、これら天面部と底面部とに連結される側面に対応する側面部とを備えている段ボールブランクシートにおいて、前記側面部には互いに平行で且つ前記天面部との境界線にも平行な破線状の２本のライナカット線が形成され、前記各ライナカット線のうち、組み立てられた場合に前記天面部に近い側に位置するライナカット線の個々の平行部の少なくとも一方の端部には、前記底面部側に近接するように傾斜する傾斜部が形成されている、という構成を採っている。このような構成を採ることで、開封の際に各ライナカット線によって挟まれた部分が切裂帯となり、この切裂帯を引っ張ることによって外装箱を上下に分離することができることとなる。その際、外装箱が床に置かれている場合などには、開封者は切裂帯を斜め上方に引っ張ることが多い。このため、ライナカット線になんら工夫をしていない場合には、切裂帯がライナカット線から外れてしまい、場合によっては切裂帯自体が途中でちぎれてしまう。しかし、天面部側のライナカット線に底面部側に傾斜している傾斜部を形成しているため、ライナカット線に沿って切れ目が確実につながり、切裂帯のちぎれも有効に防止される。
【００１１】
また、前記段ボールブランクシートは表ライナ、中芯及び裏ライナから構成され、前記ライナカット線は裏ライナにのみ形成されている、という構成を採っている。このような構成を採ることで、段ボールブランクシートの加工の際には裏ライナ側からのみライナカット線の加工をすれば良く、両面から加工しなければならない場合と比較して、製造工程を簡略化することができる。また、外周壁面の座屈強度もほとんど低下しない。
【００１２】
また、前記段ボールブランクシートは、前記表ライナ及び裏ライナの坪量が１４０ｇ／ｍ2以下であり、中芯の坪量が１２５ｇ／ｍ2以下であって、Ｂフルートである、という構成を採っている。このように、段ボールブランクシート材料の坪量を所定値以下に抑えたとしても、ライナカット線の形状を工夫したことによって、座屈強度も低下させることなく、且つ開封のしやすい外装箱が実現できる。
【００１３】
また、前記側面部には前記ライナカット線に交差するように切断された切出部が形成され、前記傾斜部は各平行部の両端のうち前記切出部から遠い側の端部に形成されている、という構成を採っている。このような構成を採ることで、切出部に開封者が指を挿入して、容易に切裂帯の端部を引き出すことができる。
【００１４】
また、前記側面部にはフラップが連結され、このフラップにも前記ライナカット線が形成されている、という構成を採っている。このような構成を採ることで、フラップも上下に分断されて、外装箱の上部と下部を容易に分断することができる。
【００１５】
更に、上記段ボールブランクシートを組み立てて外装箱を形成する、という構成を採っている。
【発明の効果】
【００１６】
本発明によれば、ライナカット線を形成するために、段ボールブランクシートの裏面から１度の加工を行うだけであるので、製造コストを抑制することができる。また、外装箱の開封の際に切裂帯がちぎれることも防止される。加えて、組み立て後に高い座屈強度を有する切裂帯付き段ボールブランクシート及びこれを用いた外装箱を提供できる。
【発明を実施するための最良の形態】
【００１７】
次に、本願発明の一実施形態について図面を参照しながら説明する。ここで、図１（Ａ）は組み立て後に表面となる側から段ボールブランクシートを見た図であり、図１（Ｂ）は組み立て後に内面となる側から段ボールブランクシートを見た図である。
【００１８】
［段ボールブランクシート］
本発明の一実施形態に係る段ボールブランクシート１は、図１に示すように、外装箱として組み立てられた場合に上面となる天面部３と、この天面部３に連結された第１側面部５と、第１側面部５に連結された底面部７と、この底面部７に連結された第２側面部９とを備えている。また、第２側面部９には継代部１１が連結されている。また、天面部３及び底面部７の両側（図１において上下方向の両端）には外フラップ１３、１７が連結され、各第１及び第２側面部５，９の両側（図１において上下方向の両端）には内フラップ１５，１９が連結されている。本実施形態において、各部は別個に形成されたものではなく、大きな段ボール紙から図１に示すような形状の段ボールブランクシート１として打ち抜かれ、更に各部の境界線Ｌに折曲部を形成したものである。但し、本発明においては、各部を一体的に形成する場合に限定されず、各部を別個に形成して事後的に連結するような構成としてもよい。
【００１９】
本実施形態で用いる段ボールブランクシートの構造は、それぞれ板状の表、裏ライナと、これらの間に設けられる波形で高さが２．４９mm〜２．８mm、山の数が５０±２／３０（個／ｃｍ）である中芯を有するＢフルートと呼ばれるものである。表ライナ／中芯／裏ライナはそれぞれ、Ｋ１４０／ＳＣＰ１２５／Ｋ１４０であるものを用いた。ここで、表ライナ及び裏ライナの「Ｋ」はライナのグレードを示す記号である。また、中芯の「ＳＣＰ」はセミケミカルパルプを略したものである。そして、それらの後ろに記載された数字は、坪量（単位面積当たりの重さ：ｇ／ｍ2）を示す数値である。
【００２０】
但し、上記した詳細な構造はあくまでも一例であり、本発明は上記段ボールブランクシート材料に限定されるものではない。すなわち、表ライナ及び裏ライナの坪量が１４０ｇ／ｍ2未満で、中芯の坪量が１２５ｇ／ｍ2未満の段ボールブランクシートを用いてもよい。また、グレードとしてはＫ（バージンパルプを含む）ではなく、Ｃ（古紙が多く含まれる）であってもよい。また、段ボールブランクシートの構造はＢフルートに限定されるものでもなく、Ａフルート、Ｅフルート、ＦフルートやＧフルートであってもよい。もちろん、坪量を上げれば座屈強度は向上するが、その分材料費も増大してしまう。
【００２１】
尚、本明細書で用いる「中芯」という用語は、段ボール用中しん原紙の規格であるＪＩＳ  Ｐ  ３９０４で用いられる「中しん」と同義である。
［天面部及び底面部］
天面部３及び底面部５は、外装箱として組み立てられた場合に、箱の天面と底面となる部材である。このため、収容物が例えば缶ビール容器などの場合、整列した所定本数の缶ビール容器が収容できる大きさとなっている。具体的に本実施形態では一例として、３５０ｍｌ入りの缶ビール容器が４×６＝２４本収容できるような大きさに設定されている。このため、天面部３と底面部７は縦横がおよそ３：２の長方形となっている。
【００２２】
［継代部］
継代部１１は第２側面部９に連結されており、外装箱として組み立てる際に、第２側面部９を天面部３に接合するためのものである。このため、継代部１１は略台形状に形成され、その長さは第２側面部９及び天面部３の長辺の長さと略等しくなっている。
【００２３】
［側面部］
各側面部５，９は、外装箱として組み立てられた場合に、側面（即ち、垂直面）となる部材である。このため、各側面部５，９は長方形となっており、長辺は天面部３及び底面部７の長辺と略等しい長さとなっており、短辺は収容する缶ビール容器などの高さと略等しくなっている。また、各側面部４，９の中央付近には、切出部２１が形成されている。この切出部２１は外装箱を開封する際に、最初に指を挿入する部位であり、図２に示すように、段ボールブランクシート１の表面から裏面にわたって段ボール紙が切断されている。切出部２１は天面部３から底面部７に向かう方向に沿って形成されており、外装箱として組み立てられた場合には、鉛直方向を向くようになっている。また、切出部２１は単純な直線状の切断線ではなく、両矢印状の形状となっている。これは、指を挿入することで所定の面積の孔が形成されるようにするためである。但し、この形状はあくまでも一例であり、単純な直線状の切断線であってもよい。
【００２４】
［ライナカット線］
図１（Ｂ）に示すように、段ボールブランクシートの各側面部５，９において、組み立て後に内面となる側にはライナカット線２５が形成されている。このライナカット線２５は、略平行な２本の切断線からなり、各側面部５，９の長辺方向に沿って形成されている。また、各ライナカット線の両端部は内フラップまで延設されている。
【００２５】
ライナカット線２５を図２に基づいて詳細に説明すると、天面部３に近い側のライナカット線は、天面部３ととの境界線と略平行で所定の長さを有する上側平行部２５ａと、この上側平行部２５ａの一端部から斜め下方に延びる傾斜部２５ｂとが一組となっている。そしてこの一組のライナカット線が天面部３に平行に複数個並んでいる。ここで、傾斜部２５ｂは上側平行部２５ａの両端のうち、切出部２１から遠い側の端部を起点として、切出部から離れるに従って底面部７側に延びている。このため、図２（Ａ）において、切出部２１の左側の傾斜部２５ｂは左斜め下方に伸び、切出部２１の右側の傾斜部２５ｂは右斜め下方に伸びている。
【００２６】
また、底面部７に近い側のライナカット線は、平行部２５ａと略平行な破線状の下側平行部２５ｃによって形成されている。尚、本実施形態においては、１組の上側平行部２５ａと傾斜部２５ｂに対して、１本の下側平行部２５ｃが対応しているが、本発明はこれに限定されるものではなく、例えば、１組の上側平行部２５ａと傾斜部２５ｂに対して、２本の下側平行部２５ｃを対応させてもよいし、逆に２組の上側平行部２５ａと傾斜部２５ｂに対して、１本の下側平行部２５ｃを対応させるようにしてもよい。
【００２７】
また、図２（Ｃ）は図１（Ａ）における上側平行部２５ａに沿ったＣ−Ｃ線における断面図であるが、この図２（Ｃ）に示すように、切出部２１においては段ボールブランクシート１を形成する表ライナ５ａ、中芯５ｂ及び裏ライナ５ｃの全てが切断されているのに対し、ライナカット線２５を形成する上側平行部２５ａ（傾斜部２５ｂ及び下側平行部２５ｃも同様）においては、裏ライナのみ切断されている。このため、図１（Ａ）に示すように、ライナカット線２５は段ボールブランクシート１の表面には現れない。
【００２８】
尚、本実施形態において、ライナカット線２５は板ボールブランクシート１の裏ライナ５ｃにのみ形成されているが、本発明はこれに限定されるものではない。例えば、ライナカット線２５を表ライナ５ａにのみ形成してもよいし、或いは表ライナ５ａと裏ライナ５ｃの両方に形成するようにしてもよい。
【００２９】
［組み立て手順］
次に、図３に基づいて、本実施形態の段ボールブランクシートを用いた外装箱１ａの組み立て手順について説明する。まず、図３（Ａ）に示すように、底面部７を下にした状態で側面部５、９を鉛直上方に折り曲げる。次に、図３（Ｂ）に示すように、一例として挙げた缶ビール容器Ｃ（２４本）を外装箱１ａ内に収納する。続いて、図３（Ｃ）に示すように、内フラップ１５，１９を折り曲げると共に天面部３を折り曲げ、更に外フラップ１３，１７も折り曲げる。このとき、継代部１１と天面部３との接合面及び内フラップ１５，１９と外フラップ１３，１７との接合面にはホットメルト接着剤（図示略）が塗布される。そして最後に、継代部１１と天面部３との接合面及び内フラップ１５，１９と外フラップ１３，１７との接合面を圧着することで、外装箱１ａの組み立てが完了する。このような状態で外装箱は保管され、あるいは流通する。
【００３０】
［外装箱の開封］
次に、図４に基づいて、外装箱１ａの開封について説明する。ここで、外装箱として組み立てられた場合の外形寸法の一例としては、長さ３９７ｍｍ、幅２７３ｍｍ、そして高さが１２５ｍｍである。開封の際には、先ず、切出部２１は外装箱の内部まで貫通しているので、開封者は切出部２１に指先を容易に挿入することができる。これにより、指先で切出部２１の周囲部を外側に引き出すことができる。切出部２１の周囲部が一旦引き出されると、２本のライナカット線２５に沿って段ボールが帯状に切断され、これが切裂部３１となる。そして、切裂部３１の端部を把持して、更に切裂部３１を切断してゆく。上記したように、地面やパレット上に置かれた外装箱を開封する際には、切裂部３１が斜め上方に向かって引っ張られることが多い。このとき、切裂部３１を切断するためのライナカット線２５に何ら工夫がされていない場合には、開封の途中で切裂部３１がちぎれてしまう場合がある。
【００３１】
しかし、本実施形態の外装箱１ａでは、図２（Ａ）に示すように、ライナカット線２５のうち、天面部側の傾斜部２５ｂが開封方向に向かって斜め下方に曲折している。このため、開封に伴って１組の上側平行部２５ａと傾斜部２５ｂからなるライナカット線から次の組のライナカット線へ切れ目がつながる際には、切れ目が傾斜部２５ｂによって切裂部３１の内側に延びて、切裂部３１を斜め上方に引っ張った場合でも、切れ目が適切に次の組のライナカット線につながる。従って、切裂部３１のちぎれが有効に防止される。
【００３２】
次に、ライナカット線の形状と外装箱の開封のしやすさ、及びライナカット線の形状と外装箱の座屈強度との関係についてそれぞれ説明する。図５は、３種類のライナカット線２５Ａ，２５Ｂ、２５Ｃの形状を示す図であり、図５（Ａ）は単純な平行線によるもの（通常ライナカット）、図５（Ｂ）は本願発明に係る一方のライナカット線に傾斜部２５ｂが形成されているもの（上側片ジッパー）、そして図５（Ｃ）は上下の平行部２５ａ，２５ｃに傾斜部２５ｂ，２５ｄが形成されているもの（上下両ジッパー）をそれぞれ示す。図５（Ｂ）に示す本発明の一実施形態に係るライナカット線２５Ｂは、一例ではあるが、各平行部２５ａ，２５ｃの長さが１１．５ｍｍであり、隣接する他の平行部２５ａ，２５ｃとの間隔が１．４ｍｍである。また、傾斜部２５ｂは４５°の角度で傾斜しており、鉛直方向寸法及び水平方向寸法が共に２ｍｍとなっている。また、図５（Ｃ）に示すライナカット線２５Ｃは、図５（Ｂ）に示す天面部側のライナカット線２５Ｂと同じ寸法のものが底面部側にも形成されている。但し、天面部側のライナカット線と底面部側のライナカット線とは互いに水平方向線に関して線対称となっている。各ライナカット線２５Ａ，２５Ｂ、２５Ｃは段ボールブランクシートの裏ライナにのみ形成されている。各傾斜部２５ｂ，２５ｄを除いて、その他の条件は全て同一である。
【００３３】
開封のしやすさの試験は、引張試験機に試料固定用治具をセットし、試料全体を治具に固定して行った。切裂部３１の引張り方向は、試料の表面に対して３０°の角度で且つ切裂帯の長手方向に対して１５°の角度とした。また、引張速度は５００ｍｍ／ｍｉｎとした。評価の手法としては、より小さな力で開封できることが望ましいので、引張加重の大小で判断することとした。
【００３４】
図６は、それぞれ通常ライナカット、上側片ジッパー及び上下両ジッパーについて引張加重を５回測定した試験結果を示す表である。この表の平均値に示すように、開封に必要な引張加重は平均３４Ｎであり、上下両ジッパーの場合の平均値である３２．１Ｎに近い値となっている。これは、通常ライナカット線の場合（４０．５Ｎ）と比較して、開封が容易であることを示している。
【００３５】
また、座屈強度の試験は、外装箱として組み立てた後に鉛直方向の圧縮力を加えて、座屈したときの荷重とその時のプレス移動量で判断した。図７は、それぞれ通常ライナカット、上側片ジッパー及び上下両ジッパーについて座屈強度を３回測定した試験結果を示す表である。この表の平均値に示すように、それぞれプレス移動量は何れも同等であるが、本発明の上側片ジッパーの座屈荷重は平均７９８Ｎであり、通常ライナカット線の平均７６７Ｎを上回っている。このことは、座屈強度が通常ライナカット線の場合と同等以上であることを示している。一方、上下両ジッパーの場合は平均７３３Ｎとなっており、座屈強度が低いことが分かる。
【００３６】
以上の説明から、本願発明に係る上側片ジッパーのライナカット線は、開封がし易く且つ高い座屈強度を有することが明らかである。
【産業上の利用可能性】
【００３７】
本発明は、缶ビール容器などを包装する外装箱に利用することができる。
【図面の簡単な説明】
【００３８】
【図１】本発明の一実施形態に係る段ボールブランクシートを示す展開図であり、図１（Ａ）は表面を示し、図１（Ｂ）は裏面を示す。
【図２】図１に開示した段ボールブランクシートで形成された外装箱の図であり、図２（Ａ）は外装箱内部から側面部のライナカット線を見た図であり、図２（Ｂ）は図１（Ａ）のＢ−Ｂ線における断面図であり、図２（Ｃ）は図２（Ａ）のＣ−Ｃ線における部分断面図である。
【図３】図１に開示した段ボールブランクシートを用いて缶容器を包装する例を説明する斜視図であり、図３（Ａ）は一方の側面部及び天面部を立ち上げた状態を示し、図３（Ｂ）は缶容器を収納する工程を示し、図３（Ｃ）は天面部を折り曲げた状態を示し、図３（Ｄ）は包装工程が完了した図である。
【図４】本発明の一実施形態に係る外装箱の開封状態を説明する図であり、図４（Ａ）は側面図であり、図４（Ｂ）は斜視図である。
【図５】異なる種類のライナカット線を示す図であり、図５（Ａ）は単純な平行破線を示し、図５（Ｂ）は上側のライナカット線に傾斜部を有する本発明の上側片ジッパーを示し、図５（Ｃ）は上下両側のライナカット線に傾斜部を有する比較例としての上下両ジッパーを示す。
【図６】図５に示す各ライナカット線の開封時の引張強度を示す表である。
【図７】図５に示す各ライナカット線の座屈荷重とその時のプレス移動量を示す表である。
【図８】従来のライナカット線を用いた外装箱の開封状態を示す斜視図である。
【図９】従来の他のライナカット線を用いた外装箱を示す図であり、図９（Ａ）は斜視図を示し、図９（Ｂ）はライナカット線の拡大図を示す。
【符号の説明】
【００３９】
１  段ボールブランクシート
３  天面部
５  第１側面部
７  底面部
９  第２側面部
２５  ライナカット線
２５ａ  上側平行部
２５ｂ  傾斜部
２５ｃ  下側平行部
【図１】
2008280047.tif 000003
【図２】
2008280047.tif 000004
【図３】
2008280047.tif 000005
【図４】
2008280047.tif 000006
【図５】
2008280047.tif 000007
【図６】
2008280047.tif 000008
【図７】
2008280047.tif 000009
【図８】
2008280047.tif 000010
【図９】
2008280047.tif 000011